(57)【要約】【課題】  光ディスクに記録されている信号の読み出し動作を行う光ピックアップ装置に敵したトラッキング制御方法を提供する。【解決手段】  ４分割センサー１からプッシュプル方式に使用されるトラッキングエラー信号を生成するプッシュプル信号生成回路５と、前記４分割センサー１から得られる位相差検出方式に使用されるトラッキングエラー信号を生成する位相差信号生成回路９を設け、レーザースポットが同一トラック上にて信号未記録領域から信号記録領域に移動したときプッシュプル信号生成回路５から得られるトラッキングエラー信号から位相差信号生成回路９から得られるトラッキングエラー信号を使用してトラッキング制御動作を行う状態に切り換える。【選択図】  図１
2012212491.tif 000002
【特許請求の範囲】
【請求項１】
光ディスクに設けられている信号記録層から反射される戻り光を受光する４分割センサーを備えた光ピックアップ装置のトラッキング制御方法であり、前記４分割センサーからプッシュプル方式に使用されるトラッキングエラー信号を生成するプッシュプル信号生成回路と、前記４分割センサーから得られる位相差検出方式に使用されるトラッキングエラー信号を生成する位相差信号生成回路を設け、レーザースポットが同一トラック上にて信号未記録領域から信号記録領域に移動したときプッシュプル信号生成回路から得られるトラッキングエラー信号から位相差信号生成回路から得られるトラッキングエラー信号を使用してトラッキング制御動作を行う状態に切り換えるようにしたことを特徴とするトラッキング制御方法。
【請求項２】
４分割センサーを構成する４つの受光部から得られる信号を加算した和信号のレベル変化を利用してトラッキングエラー信号の切り換えを行うようにしたことを特徴とする請求項１に記載のトラッキング制御方法。
【発明の詳細な説明】
【技術分野】
【０００１】
本発明は、光ディスクに記録されている信号の読み出し動作をレーザー光によって行う光ピックアップ装置のトラッキング制御方法に関する。
【背景技術】
【０００２】
光ピックアップ装置から照射されるレーザー光を光ディスクの信号記録層に照射することによって信号の読み出し動作を行うことが出来る光ディスク装置が普及している。
【０００３】
信号記録層に記録されている信号の光ピックアップ装置による読み出し動作は、レーザーダイオードから放射されるレーザー光を信号記録層に照射させ、該信号記録層から反射されるレーザー光の変化を光検出器によって検出することによって行われている。
【０００４】
レーザー光によって信号記録層に記録されている信号を読み出すためには、レーザー光を信号記録層に渦巻き状に設けられている信号トラックにレーザー光を追従させるトラッキング制御動作を正確に行う必要がある。
【０００５】
斯かるトラッキング制御方法としては種々あるが、メインビームを使用するプッシュプル法や位相差法に加えて２つのサブビームが各々照射される２つのサブビーム用受光部とメインビームが照射されるメインビーム用受光部が組み込まれている光検出器を設け、この光検出器から得られる信号によりトラッキングエラー信号を生成させる差動プッシュプル法と呼ばれるトラッキング制御方法が一般に採用されている。
【０００６】
また、光ディスク装置の中には、光ディスクに合わせて差動プッシュプル法と位相差検出法によるトラッキング制御方式を選択的に使用するトラッキング制御方法が提案されている。(特許文献１参照。)
そして、最近では、信号記録層が１層ではなく複数、例えば４つの層が設けられている４層式の光ディスクが製品化されており、斯かる複数の信号記録層が設けられている光ディスクの各信号記録層に記録されている信号の読み出し動作を行うことが出来る光ピックアップ装置も製品化されている。
【先行技術文献】
【特許文献】
【０００７】
【特許文献１】特開２００８−８４４１５号公報
【発明の概要】
【発明が解決しようとする課題】
【０００８】
差動プッシュプル法によるトラッキング制御は、２つのサブビームを受光するサブビーム用受光部とメインビームを受光するメインビーム用受光部から得られる信号を利用してトラッキングエラー信号を生成しているためメインビーム用受光部のみから得られる信号を利用してトラッキング制御動作を行うプッシュプル法にて発生するオフセットの問題を解決することが出来るという利点を有している。
【０００９】
しかしながら、斯かる差動プッシュプル法は、レーザービームをメインビームとサブビームに分離させる回折格子を設ける必要があるので、高価になるだけでなく光学構成が複雑になるという問題がある。
【００１０】
また、前述した複数の信号記録層が設けられている光ディスクに記録されている信号の再生動作を行う場合には、信号の再生動作を行う信号記録層と異なる信号記録層から反射される反射光、即ち迷光がサブビーム用受光部に照射されてサブビームの検出動作に悪影響を与えるという問題が発生している。
【００１１】
斯かる迷光による問題を解決する方法としてサブビーム用受光部の形状を八角形にする等の技術が多く提案されているが、高価になるとともに精度が要求されるという問題がある。
【００１２】
斯かる問題を解決するためにメインビームのみを使用したプッシュプル方式のトラッキング制御方法を採用することが考えられるが、斯かるトラッキング制御方式はオフセットが発生するという問題があり、特に追記型の光ディスクのように信号が記録されている信号記録領域と信号が記録されていない信号未記録領域の境界ではプッシュプル信号が大きく変化しトラッキング制御動作を正確に行えないという問題がある。
【００１３】
本発明は、斯かる問題を解決することが出来るトラッキング制御方法を提供しようとするものである。
【課題を解決するための手段】
【００１４】
本発明は、光ディスクに設けられている信号記録層から反射される戻り光を受光する４分割センサーからプッシュプル方式に使用されるトラッキングエラー信号を生成するプッシュプル信号生成回路と、前記４分割センサーから得られる位相差検出方式に使用されるトラッキングエラー信号を生成する位相差信号生成回路を設け、レーザースポットが同一トラック上にて信号未記録領域から信号記録領域に移動したときプッシュプル信号生成回路から得られるトラッキングエラー信号から位相差信号生成回路から得られるトラッキングエラー信号を使用してトラッキング制御動作を行う状態に切り換えるようにしたことを特徴とするものである。
【００１５】
また、本発明は、４分割センサーを構成する４つの受光部から得られる信号を加算した和信号のレベル変化を利用してトラッキングエラー信号の選択切り換え動作を行うようにしたことを特徴とするものである。
【発明の効果】
【００１６】
本発明のトラッキング制御方法は、レーザースポットが同一トラック上にて信号未記録領域から信号記録領域に移動したときプッシュプル信号生成回路から得られるトラッキングエラー信号から位相差信号生成回路から得られるトラッキングエラー信号を使用してトラッキング制御動作を行う状態に切り換えるようにしたので、即ち位相差検出法によるトラッキング制御動作を行う状態に切り換えるようにしたので、プッシュプル信号がオフセットによる影響を受けても正確なトラッキング制御動作を行うことが出来る。
【００１７】
また、本発明は、４分割センサーを構成する４つの受光部から得られる信号を加算した和信号のレベル変化を利用してトラッキングエラー信号の選択切り換え動作を行うようにしたので、信号未記録領域と信号記録領域の境界を確実に検出することが出来る。従って、本発明のトラッキング制御方法によれば信号記録領域と信号未記録領域が同一の信号トラック上にある追記型の光ディスクにおけるトラッキング制御動作を正確に行うことが出来る。
【図面の簡単な説明】
【００１８】
【図１】本発明のトラッキング制御方法を説明するための構成図である。
【図２】本発明のトラッキング制御方法を説明するための信号トラックとレーザースポットとの関係を説明するための図である。
【図３】本発明のトラッキング制御方法を説明するための図である。
【発明を実施するための形態】
【００１９】
レーザーダイオードから放射されるレーザー光から１つのメインビームと２つのサブビームを生成する回折格子を不要にした光ピックアップ装置のトラッキング制御方法を提供する。
【実施例１】
【００２０】
図１は本発明のトラッキング制御方法を説明するための実施例を示すものである。同図において、１は光ディスクの信号記録層から反射される戻り光が照射される光検出器に組み込まれている４分割センサーであり、周知のように４つの受光部Ａ、Ｂ、Ｃ、Ｄにて構成されている。
【００２１】
斯かる構成において、戻り光のレーザースポットＳは図示したように４分割センサー１上に照射生成されるが、光ディスク上の径方向にレーザースポットが変位すると４分割センサー１上のレーザースポットＳは矢印Ａ方向に移動するように設けられている。
【００２２】
２は前記４分割センサー１を構成する受光部Ａ及び受光部Ｄから得られる信号を加算する第１加算回路、３は該４分割センサー１を構成する受光部Ｂ及び受光部Ｃから得られる信号を加算する第２加算回路、４は前記第１加算回路２から得られる信号から第２加算回路３から得られる信号を減算する減算回路であり、その出力端子にプッシュプル方式のトラッキング制御方法に使用されるプッシュプル信号を出力するように構成されている。即ち、前記第１加算回路２、第２加算回路３及び減算回路４にて前記プッシュプル信号を生成するプッシュプル信号生成回路５を構成するように構成されている。
【００２３】
６は前記４分割センサー１を構成する受光部Ａ及び受光部Ｃから得られる信号を加算する第３加算回路、７は該４分割センサー１を構成する受光部Ｂ及び受光部Ｄから得られる信号を加算する第４加算回路、８は前記第３加算回路６から得られる信号と第４加算回路７から得られる信号の位相差を検出する位相差検出回路であり、その出力端子に位相差検出方式のトラッキング制御方法に使用される位相差信号を出力するように構成されている。即ち、前記第３加算回路６、第４加算回路７及び位相差検出回路８にて前記位相差信号を生成する位相差信号生成回路９を構成するように構成されている。
【００２４】
１０は前記第１加算回路２及び第２加算回路３から得られる信号を加算する第５加算回路であり、その出力端子には前記４分割センサー１を構成する全ての受光部Ａ、Ｂ、Ｃ、Ｄから得られる信号を加算した信号、即ち和信号を出力するように構成されている。１１は前記第５加算回路１０から出力される和信号が入力される信号レベル検出回路であり、入力信号のレベルが所定のレベル以下に低下したとき信号レベル検出信号を出力するように構成されている。
【００２５】
１２は前記信号レベル検出回路１１から出力される信号レベル検出信号が入力されたとき選択信号を出力するトラッキング信号選択回路である。１３は前記減算回路４の出力信号、即ちプッシュプル信号生成回路５の出力信号であるトラッキングエラー信号及び前記位相差検出回路８の出力信号、即ち位相差信号生成回路９の出力信号であるトラッキングエラー信号が入力される選択スイッチであり、前記トラッキング信号選択回路１２から出力される選択信号によって出力端子１３ａにトラッキング制御信号として出力するエラー信号をプッシュプル信号と位相差信号の中から選択して出力するように構成されている。
【００２６】
１４は前記選択スイッチ１３の出力端子１３ａに出力される信号、即ちプッシュプル信号であるトラッキングエラー信号又は位相差信号であるトラッキングエラー信号がトラッキングエラー信号として入力されるトラッキング制御回路であり、トラッキングコイル１５にトラッキング駆動信号を供給するように構成されている。
【００２７】
斯かる構成において、プッシュプル信号生成回路５から出力されるトラッキングエラー信号によるトラッキング制御動作、即ちプッシュプル方式によるトラッキング制御動作及び位相差信号生成回路９から出力されるトラッキングエラー信号によるトラッキング制御動作、即ち位相差検出方式によるトラッキング制御動作は周知であるので、その説明は省略する。
【００２８】
以上に説明したように本発明に係るトラッキング制御のための回路は構成されているが、次に光ディスクの信号トラックとレーザースポットとの関係について図２を参照にして説明する。同図において、図形□はピットと呼ばれる信号記録が成されている状態を示すものである。
【００２９】
図２の(Ａ)はレーザースポットＬが光ディスク上の信号が記録されていない信号未記録領域にある状態を示すものであり、斯かる状態から光ディスクの回転に伴って該レーザースポットＬが位置しているトラック上にあるピットＰ１、Ｐ２及びＰ３が矢印Ｂ方向へ移動することになる。
【００３０】
図２の(Ｂ)は、前記ピットＰ１、Ｐ２及びＰ３の矢印Ｂ方向への移動によってレーザースポットＬが信号未記録領域から信号記録領域に移動した状態を示すものである。
【００３１】
光ディスクの回転に伴ってレーザースポットＬの位置は図３の(Ａ)から(Ｂ)に示す位置まで移動するが、斯かる移動に伴う４分割センサー１を構成する受光部Ａ、Ｂ、Ｃ、Ｄから得られる和信号のレベル変化について図３を参照して説明する。
【００３２】
図３はタンジェンシャル方向、即ち光ディスクに形成されているトラック上の信号記録ピットが連続する方向のスポット位置と和信号のレベルとの関係を示す特性図である。同図において、実線で示すＳ１は信号未記録領域における和信号のレベルを示すものであり、破線で示すＳ２は信号記録領域に形成されているピットの上をレーザースポットＬが移動する場合に得られる和信号のレベル変化を示すものである。同図より明らかなようにレーザースポットＬがピット上を移動するとき和信号のレベルは低下する。
【００３３】
本発明は、斯かる和信号のレベル低下を検出することによってトラッキング制御動作に使用するトラッキングエラー信号を選択するようにしたものである。即ち、信号レベル検出回路１１によって和信号のレベルを検出し、その信号レベルが低下したときトラッキング信号選択回路１２から選択スイッチ１３に対してトラッキングエラー信号切り換えのための制御信号を出力するように構成されている。
【００３４】
即ち、本発明では、プッシュプル信号生成回路５から出力されるトラッキングエラー信号を選択スイッチ１３の出力端子１３ａに出力する状態から和信号のレベルが低下したとき位相差信号生成回路９から出力されるトラッキングエラー信号を出力端子１３ａに出力するように構成されている。
【００３５】
前述したトラッキングエラー信号の選択切り換え動作が行われると、トラッキング制御回路１４によるトラッキング制御動作はプッシュプル方式のトラッキング制御方式から位相差信号検出方式のトラッキング制御方式に切り換えられることになる。即ち、信号未記録領域では、プッシュプル方式によるトラッキング制御動作を行い、信号未記録領域と信号記録領域の境界では位相差信号検出方式によるトラッキング制御動作を行うように構成されている。
【００３６】
このようにして信号未記録領域と信号記録領域の境界でトラッキング制御方式がプッシュプル方式から位相差検出方式に切り換えられるが、境界を通過するとトラッキング信号選択回路１２から出力されていた切り換えのための制御信号が反転するように構成されている。即ち、前記境界部を通過するとトラッキング制御方式を位相差信号検出方式からプッシュプル方式に復帰させるように構成されている。これは、信号未記録領域だけでなく信号記録領域におけるトラッキング制御動作を行う場合にプッシュプル方式の方が有利であるからである。
【００３７】
そして、信号未記録領域と信号記録領域の境界を通過したとき、信号レベル検出回路１１には信号記録領域にレーザースポットが位置するので、光ディスクの回転に伴って和信号のレベルが上下に変化するが、斯かる状態は信号未記録領域と信号記録領域の境界ではないので、トラッキング信号選択回路１２からトラッキングエラー信号をプッシュプル方式から位相差信号検出方式に切り換えるための制御信号が出力されないように構成されている。
【産業上の利用可能性】
【００３８】
本発明は、Ｂｌｕ−ｒａｙ規格の光ディスクのように複数の信号記録層が近接して設けられている光ディスクに記録されている信号の読み出し動作を行う光ピックアップ装置に有効であるが、その他の規格の光ディスクに記録されている信号の読み出し動作を行う光ピックアップ装置に実施することも出来る。
【符号の説明】
【００３９】
１      ４分割センサー
５      プッシュプル信号生成回路
８      位相差検出回路
９      位相差信号生成回路
１１    信号レベル検出回路
１２    トラッキング信号選択回路
１３    選択スイッチ
１４    トラッキング制御回路
【図１】
2012212491.tif 000003
【図２】
2012212491.tif 000004
【図３】
2012212491.tif 000005